(57)【特許請求の範囲】
【請求項１】
サーマルヘッドの発熱素子アレイに記録紙を圧着させる圧着位置と、発熱素子アレイから離れた退避位置との間で変位自在なプラテンと、このプラテンを圧着位置及び退避位置に選択的に変位させるプラテン変位部材とを備え、搬送ローラ対により記録紙をニップしてサーマルヘッドに送り熱記録を行うサーマルプリンタの記録紙ガイド装置において、
前記搬送ローラ対とサーマルヘッドとの間に配置され、搬送ローラ対からの記録紙をサーマルヘッドの下方に案内するガイド位置と、サーマルヘッドの記録中に記録紙通路から退避する退避位置との間で変位自在に取り付けられる可動ガイドと、
前記プラテン変位部材に設けられ、前記プラテンの退避位置から圧着位置への切り換えの際の変位により、前記可動ガイドをガイド位置から退避位置に変位するガイド変位部材とを備えたことを特徴とするサーマルプリンタの記録紙ガイド装置。
【請求項２】
サーマルヘッドの発熱素子アレイに記録紙を圧着させる圧着位置と、発熱素子アレイから離れた退避位置との間で変位自在なプラテンと、このプラテンを圧着位置及び退避位置に選択的に変位させるプラテン変位部材とを備え、搬送ローラ対により記録紙をニップしてサーマルヘッドに送り熱記録を行うサーマルプリンタの記録紙ガイド装置において、
前記搬送ローラ対とサーマルヘッドとの間に配置され、搬送ローラ対からの記録紙をサーマルヘッドの下方に案内するガイド位置と、サーマルヘッドの記録中に記録紙通路から退避する退避位置との間で変位自在に取り付けられている可動ガイドと、
前記プラテン変位部材に設けられ、前記プラテンの圧着位置から退避位置への切り換えの際の変位により、前記可動ガイドを退避位置からガイド位置に変位するガイド変位部材とを備えたことを特徴とするサーマルプリンタの記録紙ガイド装置。
【請求項３】
請求項１又は２記載のサーマルプリンタの記録紙ガイド装置において、
前記ガイド変位部材による可動ガイドの変位方向と反対側に、可動ガイドを付勢するガイド板付勢手段を備えたことを特徴とするサーマルプリンタの記録紙ガイド装置。
【請求項４】
請求項３記載のサーマルプリンタの記録紙ガイド装置において、
前記可動ガイドを、ガイド板とこのガイド板を保持する保持板とから構成し、前記ガイド位置では、ガイド板を記録紙の通路に対して斜めに挿入するようにしたことを特徴とするサーマルプリンタの記録紙ガイド装置。
【請求項５】
請求項４記載のサーマルプリンタの記録紙ガイド装置において、
前記保持板をバネ性を有する部材から構成し、この保持板により前記ガイド板付勢手段を構成したことを特徴とするサーマルプリンタの記録紙ガイド装置。
【請求項６】
請求項１ないし５いずれか１つの記載のサーマルプリンタの記録紙ガイド装置において、
前記搬送ローラ対は、回転方向を変えることにより記録紙の送り出しと引き戻しとを行い、記録紙の送り出しの際にプラテンローラを退避位置にして記録紙の先端をサーマルヘッド側に案内し、記録紙の引き戻しの際にプラテンローラを圧着位置にして熱記録を行うことを特徴とするサーマルプリンタの記録紙ガイド装置。
【発明の詳細な説明】
【０００１】
【発明の属する技術分野】
本発明は、サーマルプリンタの記録紙ガイド装置に関し、更に詳しくは記録紙をニップしてサーマルヘッド側に記録紙を送りだすとともに引き戻して、この送出しと引戻しとを交互に行い、フルカラー画像を記録するサーマルプリンタの記録紙ガイド装置に関するものである。
【０００２】
【従来の技術】
カラーサーマルプリンタ、例えばカラー感熱プリンタでは、カラー感熱記録紙が用いられ、三色面順次でフルカラー画像を記録する。このカラー感熱記録紙は、ベース上に、シアン感熱発色層，マゼンタ感熱発色層，イエロー感熱発色層が順次層設されており、最上層となるイエロー感熱発色層の熱感度が最も高く、最下層となるシアン感熱発色層の熱感度が最も低い。各感熱発色層は、最上層から順番に記録されるが、マゼンタ感熱発色層の記録の際に、イエロー感熱発色層内の未発色成分が発色しないように、イエロー画像の記録後に４２０ｎｍの紫色可視光線を照射して光定着する。同様に、マゼンタ感熱発色層の記録後に、３６５ｎｍの紫外線を照射してマゼンタ感熱発色層を光定着する。このようなカラー感熱プリンタでは、カラー感熱記録紙の送り精度を上げるためにキャプスタンローラとニップローラとからなる搬送ローラ対が用いられ、記録紙の３回の送り出し又は引き戻しにより、フルカラー画像を記録する。そして、記録紙の先端をサーマルヘッドに案内するときには、サーマルヘッドとプラテンローラとの圧着を開放して、記録紙の先端がサーマルヘッドとプラテンローラとの間に円滑に通過するようにしている。
【０００３】
【発明が解決しようとする課題】
従来のカラー感熱プリンタでは、プラテンローラを固定して、サーマルヘッドを上下動させることにより、サーマルヘッドの発熱素子アレイを記録紙に圧着して熱記録するようにしている。この方式では、サーマルヘッドを上下動させるので、退避位置では記録紙通路からサーマルヘッドが退避するため、サーマルヘッドの隙間や段差等で記録紙の先端が係止して紙詰まりが発生するおそれは少なくなるという利点がある。反面、サーマルヘッドの上下動による搬送負荷変動は、プラテンローラの上下動によるものと比べて大きくなるため、プリントにむらが発生しやすいという問題がある。これに対して、図７に示すように、サーマルヘッド２を固定してプラテンローラ３をローラシフト機構４により上下動させることで、搬送付加変動を抑えてプリントのむらを軽減することができる。
【０００４】
しかしながら、サーマルヘッド２を固定してプラテンローラ３を上下動させる場合には、サーマルヘッド本体２ａとこれの下部の配線部分等を保護するカバー２ｂとの間に隙間５ａや段差５ｂ等があり、記録紙６を搬送ローラ対７により送りだす場合に、これら隙間５ａや段差５ｂで記録紙先端６ａが係止してしまうという問題がある。これに対して、隙間５ａや段差５ｂのないサーマルヘッドを作成することも考えられるが、この場合には、製造コストが高くなるという問題がある。
【０００５】
本発明は上記課題を解決するためのものであり、サーマルヘッドを固定しても、記録紙の先端がサーマルヘッドと保護カバーとの隙間や段差などに係止することがないようにしたサーマルプリンタの記録紙ガイド装置を提供することを目的とする。
【０００６】
【課題を解決するための手段】
上記目的を達成するために、請求項１記載のサーマルプリンタの記録紙ガイド装置は、搬送ローラ対とサーマルヘッドとの間に配置され、搬送ローラ対からの記録紙をサーマルヘッドの下方に案内するガイド位置と、サーマルヘッドの記録中に記録紙通路から退避する退避位置との間で変位自在に取り付けられている可動ガイドと、プラテン変位部材に設けられ、プラテンの退避位置から圧着位置への切り換えの際の変位により、可動ガイドをガイド位置から退避位置に変位するガイド変位部材とを備えたものである。また、請求項２記載の装置は、ガイド変位部材により、プラテンの圧着位置から退避位置への切り換えの際の変位により、前記可動ガイドを退避位置からガイド位置に変位するようにしたものである。なお、前記ガイド変位部材による可動ガイドの変位方向と反対側に、可動ガイドを付勢するガイド板付勢手段を備えることが好ましい。また、前記可動ガイドをガイド板と保持板とから構成し、ガイド位置では、ガイド板を記録紙の通路に対して斜めに挿入することが好ましい。また、前記保持板をバネ性を有する部材から構成し、この保持板により前記ガイド板付勢手段を構成することが好ましい。また、搬送ローラ対は、回転方向を変えることにより記録紙の送り出しと引き戻しとを行い、記録紙の送り出しの際にプラテンローラを退避位置にして記録紙の先端をサーマルヘッド側に案内し、記録紙の引き戻しの際にプラテンローラを圧着位置にして熱記録を行うようにすることが好ましい。
【０００７】
【作用】
搬送ローラ対により記録紙の先端がサーマルヘッド側に送りだされる。この記録紙の送り出し時には、可動ガイドがガイド位置にセットされており、また、プラテンローラがサーマルヘッドの発熱素子アレイから離れた退避位置にされている。したがって、記録紙がサーマルヘッド側に送りだされると、その先端が可動ガイドのガイド面に斜めに接触し、このガイド面によりサーマルヘッドの下方に向けて記録紙が案内される。したがって、記録紙の先端がサーマルヘッド本体と保護カバーとの隙間や段差等で係止することがなく紙詰まりが防止される。記録紙の記録エリアが発熱素子アレイを過ぎると、記録紙の送り出しが終了し、記録紙が引き戻される。この引き戻しの際には、プラテン変位部材が変位してプラテンローラを退避位置から圧着位置に切り換える。また、このプラテン変位部材の変位によってガイド変位部材が可動ガイドをガイド位置から退避位置に切り換える。退避位置では、可動ガイドのガイド面が記録紙通路から退避した位置にされるため、記録紙が可動ガイドに接触することがなく、記録紙が円滑に引き戻される。この記録紙の引き戻し中に、記録紙に対し例えばイエロー画像が熱記録される。イエロー画像の記録が終了し、記録紙の先端が搬送ローラ対に近づくと、記録紙の引き戻しが終了する。この記録紙の引き戻しの終了後に、プラテン変位部材によりプラテンローラが圧着位置から退避位置に変位される。このプラテン変位部材の変位によりガイド変位部材も変位するので、可動ガイドは退避位置からガイド位置に切り換えられる。以下、同じようにして記録紙の送り出しと引き戻しが行われる。
【０００８】
【発明の実施の形態】
図２に示す側面図において、記録紙ロール１０は取付軸８に取り付けられることで、ロール形態でロール収納室９内に収納されている。搬送ローラ対１１は記録紙ロール１０からカラー感熱記録紙１２を引き出して、これをサーマルヘッド１３に送りだす。搬送ローラ対１１は、キャプスタンローラ１１ａと、これの上部に配置されるニップローラ１１ｂと、キャプスタンローラ１１ａの斜め上部に配置される補助ニップローラ１１ｃと、ローラシフト機構１１ｄとから構成されている。ニップローラ１１ｂ及び補助ニップローラ１１ｃは、ローラシフト機構１１ｄにより上下動され、下降した時に記録紙１２のニップ状態になり、上昇した時に記録紙１２のニップ解除状態になる。
【０００９】
補助ニップローラ１１ｃは、キャプスタンローラ１１ａを中心として、ニップローラ１１ｂから反時計方向に例えば６０度だけ回転した位置に配置されている。したがって、記録紙１２はこれらニップローラ１１ｂ及び補助ニップローラ１１ｃによりキャプスタンローラ１１ａに常に６０度で巻き掛けられる。これにより記録紙１２のロール形態とは反対側に記録紙１２が湾曲させられることで巻き癖が除去される。なお、巻き掛け角度は６０度に限定されるものではなく、記録紙１２の厚み等により適宜変更することができる。
【００１０】
記録紙１２は、周知のように、支持体に対しシアン感熱発色層，マゼンタ感熱発色層，イエロー感熱発色層が順次層設されており、最上層のイエロー感熱発色層の熱感度が最も高い。イエロー感熱発色層は、４２０ｎｍの紫色可視光線によって発色能力が消失し、マゼンタ感熱発色層は３６５ｎｍの紫外線で発色能力が消失する。
【００１１】
搬送ローラ対１１の記録紙送り出し方向の下流側には、サーマルヘッド１３とプラテンローラ１４とが配置されている。サーマルヘッド１３は図示しない機枠に取り付けられ、固定されている。また、プラテンローラ１４は硬質ゴムで作られており、回転自在になっている。このプラテンローラ１４はアップダウン機構１５により昇降自在に取り付けられており、圧着位置と退避位置との間で変位する。図１（Ｂ）に示すように、熱記録時にはプラテンローラ１４は上方に変位して圧着位置になり、サーマルヘッド１３の発熱素子アレイ１３ａに記録紙１２を押しつける。また、図１（Ａ）に示すように記録紙１２の送り出し時にはプラテンローラ１４が下方に変位して退避位置になり、サーマルヘッド１３とプラテンローラ１４との間に記録紙１２の通過のための隙間が形成される。
【００１２】
アップダウン機構１５は、１対のローラ変位レバー１６と、ソレノイド１７とから構成されている。１対のローラ変位レバー１６は取付軸１８を介して機枠（図示せず）に回転自在に取り付けられている。また、ローラ変位レバー１６の先端部近くには、プラテンローラ１４が取付軸１４ａを介して回転自在に取り付けられている。更に、ローラ変位レバー１６の先端上部には、ガイド変位部材としての押し上げ板１９が形成されている。この押し上げ板１９は、記録紙１２の搬送時の障害にならないように、記録紙１２が通過する位置を避けた通路の両側に配置されている。
【００１３】
サーマルヘッド１３の発熱素子アレイ１３ａは、プラテンローラ１４の軸方向に多数の発熱素子がライン状に形成されており、熱記録時には画像データに応じて各発熱素子が駆動されることで、記録紙１２の記録エリアに対して３色面順次でフルカラー画像を記録する。サーマルヘッド１３は、取付板を兼ねたヘッド基板２０と、発熱素子アレイ１３ａが形成されているサーマルヘッド本体２１と、放熱板２２と、保護カバー２３とから構成されている。ヘッド基板２０には、放熱板２２を介してサーマルヘッド本体２１が取り付けられており、このヘッド基板２０を介してサーマルヘッド本体２１が機枠に取り付けられる。保護カバー２３は取付ネジ２４を介してヘッド基板２１に固定されており、サーマルヘッド本体２１の下部とヘッド基板２０とをカバーして、配線等を保護する。
【００１４】
図２に示すように、サーマルヘッド１３の下流側にはカッタ２５が配置されている。カッタ２５は、１対の可動刃２５ａが上下動することによって、記録紙１２をカット予定線（仮想線）から切断して、記録エリア部分をシート状プリントとして切り離す。
【００１５】
カッタ２５の下流側には、定着器３０が配置されている。定着器３０は、リフレクタ３１と、イエロー用定着ランプ３２と、マゼンタ用定着ランプ３３とから構成されている。イエロー用定着ランプ３２は、４２０ｎｍの波長域の紫色可視光線を放出してイエロー感熱発色層を定着し、次のマゼンタ記録の際にイエロー成分が発色しないようにする。マゼンタ用定着ランプ３３は、３６５ｎｍの波長域の紫外線を放出して、マゼンタ感熱発色層を定着し、次のシアン記録の際にマゼンタ成分が発色しないようにする。
【００１６】
記録紙ロール１０から定着器３０までの記録紙１２の通路を形成するために、給紙部ガイド板４０，下側ペーパーガイド板４１，４２、可動ガイド４３、及び上側ペーパーガイド板４４が設けられている。第１下側ペーパーガイド板４１は、搬送ローラ対１１とプラテンローラ１４との間に配置されている。第２ペーパーガイド板４２は、プラテンローラ１４から排紙口（図示せず）までの間に配置されている。可動ガイド４３は、搬送ローラ対１１とサーマルヘッド１３との間で第１下側ペーパーガイド板４１の上方に配置されており、サーマルヘッド１３の上面に取付ネジ４５を介して取り付けられている。上側ペーパーガイド板４４はサーマルヘッド１３から排紙口までの間に配置されている。第２下側ペーパーガイド板４２と上側ペーパーガイド板４４とは対になっている。第２下側ペーパーガイド板４２にはカッタ２５及び排紙ローラ対４６用の開口が形成されている。また、上側ペーパーガイド板４４には、カッタ２５，定着器３０，排紙ローラ対４６用の開口が形成されている。
【００１７】
可動ガイド４３は、バネ性を有する薄板を折り曲げて構成されており、ガイド板本体４３ａと保持板４３ｂとを有する。保持板４３ｂはＬ字状に折り曲げられており、その一端にガイド板本体４３ａが配置されており、他端は取付ネジ４５によりサーマルヘッド１３の上面に固定されている。ガイド板本体４３ａは、ガイド位置では記録紙１２の通路に対して斜めに配置されるようになっており、記録紙１２の先端が斜めに接触することで、サーマルヘッド１３の下方に記録紙１２を案内する。したがって、記録紙１２の先端がサーマルヘッド本体２１と保護カバー２３との間の隙間や段差に係止することがなく、記録紙１２の先端をサーマルヘッド１３の下方に円滑に案内することができる。
【００１８】
前記ガイド板本体４３ａの両側部は、プラテン変位レバー１６が圧着位置にあるときに、前記押し上げ板１９で押し上げられるようになっている。これにより、ガイド板本体４３ａが図１（Ｂ）に示すように退避位置にされる。また、図１（Ａ）に示すように、プラテンローラ１４が退避位置の時には押し上げ板１９も下方に変位した状態になっており、ガイド板本体４３ａの両側部に接触することがないので、ガイド板本体４３ａは保持板４３ｂのバネ性によりガイド位置にされる。このように、プラテンローラ１４の変位に連動して、可動ガイド４３のガイド板本体４３ａがガイド位置と退避位置とに自動的にセットされる。しかも、可動ガイド４３のシフト機構等を特別に設ける必要がないので、全体の構成を簡単にすることができる。
【００１９】
図２に示すように、排紙ローラ対４６は、図３に示すローラシフト機構４６ｃによって排紙時以外は記録紙１２の通路から退避した位置にされており、排紙の際にシート状プリントをニップして、これを排紙口から外部に排出する。
【００２０】
図３は、カラー感熱プリンタの電気的構成を示すブロック図であり、操作部５０は、プリントスタートキー等を備え、各種のコマンドをコントローラ５１に送る。このコントローラ５１は、ドライバ５２、カッタ駆動部５３、アップダウン機構１５、プリント制御部５５、ランプ制御部５６、ローラシフト機構１１ｄ，４６ｃ、カウンタ５７を制御する。
【００２１】
コントローラ５１は、ドライバ５２に回転方向信号と駆動パルスとを送る。このドライバ５２は、パルスモータ６０を正転又は逆転させ、搬送ローラ対１１のキャプスタンローラ１１ａ及び排紙ローラ対４６の駆動ローラを正転又は逆転させる。カウンタ５７は、先端センサ６１の先端検知信号が入力されたときからカウント動作を開始し、パルスモータ６０が正転するときにカウントアップし、逆転するときにカウントダウンする。先端センサ６１は図１に示すように搬送ローラ対１１とサーマルヘッド１３との間に配置されている。
【００２２】
カッタ駆動部５３は、カッタ２５の各可動刃２５ａを上下動させ、カット予定線から記録紙１２をカットして、プリント済み部分をシート状プリントとして切り離す。アップダウン機構１５は、プラテン変位レバー１６とソレノイド１７とから構成され、図１（Ｂ）に示すように、圧着位置ではプラテンローラ１４を上昇させ記録紙１２をサーマルヘッド１３の発熱素子アレイ１３ａに押圧する。また、図１（Ａ）に示すように、退避位置ではプラテンローラ１４を下降させ、発熱素子アレイ１３ａから記録紙１２を離した位置にする。プリント制御部５５は、１フレーム分の３色画像データを記憶したメモリと、ヘッドドライバとから構成され、各色の画像データに応じてサーマルヘッド１３の各発熱素子を駆動する。これらの発熱素子は、画像データ及び記録すべき色に応じて発熱して、記録紙１２を所望の濃度に発色させる。
【００２３】
ランプ制御部５６は、イエロー用定着ランプ３２とマゼンタ用定着ランプ３３との発光を制御する。ローラシフト機構１１ｄ，４６ｃはソレノイド等から構成され、搬送ローラ対１１，排紙ローラ対４６をニップ状態またはニップ解除状態にする。
【００２４】
次に、図４に示すフローチャートに基づき上記実施形態の作用について説明する。プリントすべき画像データの取込み後に、操作部５０を操作してプリントを指示すれば、コントローラ５１は、先ず、ドライバ５２を介してパルスモータ６０を正転させ、搬送ローラ対１１により記録紙ロール１０から記録紙１２を引き出して、これをサーマルヘッド１３に送りだす。図１（Ａ）に示すように、記録紙１２の送り出し時には、アップダウン機構１５によりプラテンローラ１４が退避位置にセットされている。この退避位置では、押し上げ板１９も下方に変位しているので、押し上げ板１９とガイド板本体４３ａとが接触することはなく、ガイド板本体４３ａは保持板４３ｂのバネ性によって、ガイド位置にされている。したがって、記録紙１２の先端がガイド板本体４３ａによりサーマルヘッド１３の下方に案内されるため、ヘッド本体２１と保護カバー２３との間の隙間や段差に記録紙１２の先端が係止することもなく、記録紙１２の先端をサーマルヘッド１３側に円滑に送りだすことができる。
【００２５】
先端センサ６１を記録紙１２の先端が通過すると、コントローラ５１は、先端の検知時点よりカウンタ５７のアップカウントを開始する。このアップカウント値に基づき、コントローラ５１は、記録エリアがサーマルヘッド１３の発熱素子アレイ１３ａを通過したことを検知して、記録紙１２の送出しを終了する。
【００２６】
次に、コントローラ５１は、モータ６０を逆転して記録紙１２を引き戻し、この引戻し中にカウンタ５７をダウンカウントする。コントローラ５１は、このダウンカウント値に基づき記録エリアを特定し、記録エリアに対してサーマルヘッド１３によりイエロー画像を１ラインずつ記録する。この熱記録の前に、コントローラ５１は、図１（Ｂ）に示すように、アップダウン機構１５を作動させてプラテン変位レバー１６を回転し、プラテンローラ１４を圧着位置にする。このプラテン変位レバー１６の変位により押し上げ板１９がガイド板本体４３ａを上方に押し上げるので、ガイド板本体４３ａはガイド位置から退避位置に切り換わる。したがって、記録中はガイド板本体４３ａが記録紙１２の通路から退避するので、記録紙１２に接触することがなく、記録紙１２の引き戻しを円滑に行うことができる。記録紙１２の引戻しの際は、搬送ローラ対１１により引き戻された記録紙１２は図２に２点鎖線で示すように、記録紙ロール１０とロール収納室９との隙間で巻き弛むことで一次的に貯留される。
【００２７】
イエロー画像の記録を終了した後に、記録紙１２の先端通過を先端センサ６１が検知すると、記録紙１２の引戻しを終了する。また先端検知信号に基づきコントローラ５１はカウンタ５７のカウント値をリセットする。更にコントローラ５１は、アップダウン機構１５を作動させて、プラテン変位レバー１６を回転させ、プラテンローラ１４を図１（Ｂ）の圧着位置から、図１（Ａ）の退避位置に変位させる。この変位に連動して、押し上げ板１９もガイド板本体４３ａから離れるため、ガイド板本体４３ａが保持板４３ｂのバネ性により下方に変位して図１（Ａ）のガイド位置にセットされる。
【００２８】
次に、コントローラ５１は、搬送ローラ対１１を正転して記録紙１２を送り出し、記録エリアに対しイエロー用定着ランプ３２により紫色可視光線を照射して、イエロー画像を光定着する。イエロー画像の光定着が終了すると、コントローラ５１は搬送ローラ対１１を逆転して記録紙１２を引き戻し、この引き戻しの際に、イエロー画像の記録と同じようにして、記録エリアに対してマゼンタ画像を記録する。
【００２９】
以下、イエロー画像の定着と同じようにして、マゼンタ画像を記録した後に記録紙１２の送り出しでマゼンタ画像が定着される。マゼンタ画像の定着に際しては、マゼンタ用定着ランプ３３が発光して、記録エリアに対して紫外線を照射する。マゼンタ用定着ランプ３３は、イエロー用定着ランプ３２の手前に配置されているので、このマゼンタ定着の際の記録紙１２の送り出し量はイエロー定着の際の記録紙１２の送り出し量よりも少なくされている。同様にして、記録紙１２の引戻しでシアン画像が記録される。なお、シアン感熱発色層はイエローやマゼンタの発色層のように、光定着性が与えられていないので定着の必要はないが、記録エリア内の未記録白色部分や余白部分は淡黄色になっており、この部分にマゼンタ定着光を照射すると、淡黄色を白色に漂白することができるので、マゼンタ定着と同じように、マゼンタ用定着ランプ３３が点灯され、記録エリアが漂白される。
【００３０】
この漂白中に、コントローラ５１は、記録紙１２のカット予定線がカッタ２５に位置したときに記録紙１２の送り出しを停止し、カット予定線で記録紙１２を切断してシート状プリントを記録紙１２から切り離す。この切断の後は、コントローラ５１は、ローラシフト機構４６ｃにより排紙ローラ対４６をニップ状態にして、シート状プリントのみを排出口から図示しない排紙トレーに排出する。
【００３１】
なお、上記実施形態では、可動ガイド４３をサーマルヘッド１３側に取り付けたが、この他に、図５に示すように、機枠側のステー６５に取付ネジ６６により可動ガイド６７を取り付けるようにしてもよい。この場合にも、プラテン変位レバー６８に一体に設けた押し下げ板６９により、可動ガイド６７のガイド板本体６７ａを係合片６７ｃを介して、図５（Ａ）のガイド位置に押し下げるように構成する。ガイド板本体６７ａは保持板６７ｂによりステー６５に取り付けられており、保持板６７ｂはバネ性を有しているので、図５（Ｂ）に示すように、プラテン変位レバー６８が上方に変位した状態のプラテン圧着位置の時には、ガイド板本体６７ａは退避位置に自動的にセットされる。なお、図１（Ｂ）に示すものと同一構成部材には同一符号が付してある。
【００３２】
また、上記実施形態では、可動ガイド４３をバネ性を有する薄板により構成して、付勢手段を別個に設ける必要がないようにしたが、この他に、別個に設けたコイルバネ等のバネ部材により可動ガイドをガイド位置又は退避位置のいずれか一方に付勢するようにしてもよい。
【００３３】
また、上記実施形態では、プラテン変位レバー１６を用いて、プラテンローラ１４を圧着位置と退避位置に変位させたが、この他に、図６に示すように、プラテンローラ１４をスライダ７０に回転自在に取り付けて、これを昇降機構７１により昇降させるようにしてもよい。昇降機構７１は、ソレノイドを用いる他に、モータとカムとの組合せにより構成してもよい。この場合にも、プラテンローラ１４を保持するスライダ７０の一部に押し上げ板７２を形成して、この押し上げ板７２により可動ガイド４３のガイド板本体４３ａを上方に押し上げる。
【００３４】
また、上記実施形態では、ニップローラ１１ｂ及び補助ニップローラ１１ｃを用いてキャプスタンローラ１１ａへの記録紙１２の巻き掛け角度が常に一定になるようにしたが、補助ニップローラ１１ｃは省略して、単に、キャプスタンローラ１１ａとニップローラ１１ｂとから、搬送ローラ対を構成してもよい。
【００３５】
上記実施形態では、記録紙ロール１０を用いたが、この他にカットシートタイプの記録紙を用いる場合に本発明を実施してもよい。また、上記実施形態では、搬送ローラ対１１により引き戻した記録紙１２を記録紙ロール１０の周囲の隙間で記録紙１２を巻き弛ませて収納したが、この他に、記録紙ロール１０を巻き取り方向に回転して、引き戻した記録紙１２を収納してもよい。また、記録紙ロール１０と搬送ローラ対１１との間にフリーループを形成することで引き戻した記録紙１２を一時的に貯留するようにしてもよい。
【００３６】
また、光定着器３０の定着光照射域の記録紙の送り方向における長さが長い場合で記録エリアの先端部分及び後端部分で定着むらが発生する場合には、定着光照射域内で記録紙の送り出し方向に移動して定着光を遮光するシャッタを設けるとよい。この場合には、記録紙の送りに連動させてシャッタの開閉を行い、光定着エリア内の積算定着光量分布を均一にする。また、シャッタによる定着むらの補正の他に、記録エリアの全エリアが定着光照射域内を通過するように記録紙１２を送り、この定着光照射域内への記録エリアの通過の際に、シャッタにより記録エリアに隣接する未記録エリア部分を遮光することにより、定着むらの発生を防止するとともに、未記録エリアの定着を防止してもよい。
【００３７】
また、プラテンローラ１４の代わりに、固定のプラテンプレートを用いてもよい。また、カッター２５、光定着器３０の位置は適宜変更してもよい。また、上記実施形態ではカラー感熱プリンタに本発明を実施したが、この他に昇華型や溶融型のカラー熱転写プリンタに本発明を実施してもよく、この場合にも記録紙がサーマルヘッドに係止することがなく、記録紙をサーマルヘッド側に円滑に送りだすことができる。
【００３８】
また、図２における搬送ローラ対１１を給紙ローラ対とし、サーマルヘッド１３とカッタ１６との間に別の搬送ローラ対を設けるとともに、サーマルヘッド１３の向きを図２のものと反対にすることで、記録紙１２の送り出しの際に記録を行うようにしてもよい。この場合にも、搬送ローラ対とサーマルヘッド１３との間に可動ガイドを設けて、この可動ガイドをプラテン変位レバーの変位に連動させて、退避位置とガイド位置との間で変位させるようにしてもよい。
【００３９】
【発明の効果】
本発明によれば、搬送ローラ対とサーマルヘッドとの間に可動ガイドを設けて、この可動ガイドをプラテン変位部材の変位に連動させてガイド位置と退避位置との間で変位させるようにしたから、例えば可動プラテンを退避位置からプリント位置へ切り換えるだけで、可動ガイドをガイド位置から退避位置に変更することができる。したがって、記録紙をサーマルヘッドに送りだす時には、プラテンローラが退避位置にセットされるとともに、可動ガイドがガイド位置にセットされるので、記録紙をサーマルヘッド側に円滑に送りだすことができる。しかも、この送り出し時には、可動ガイドにより記録紙の先端をサーマルヘッドの下方に案内するので、サーマルヘッド本体とカバーとの間の隙間や段差に記録紙の先端が係止することがなく、紙詰まりを防止することができる。
【００４０】
また、ガイド変位部材による可動ガイドの変位方向と反対側に、可動ガイドを付勢するガイド板付勢手段を設けたから、ガイド変位部材による可動ガイドの変位の復帰を簡単に行うことができる。
【００４１】
ガイド位置では、ガイド板を記録紙の通路に対して斜めに挿入して、記録紙の先端をサーマルヘッドの下方に案内するようにしたから、ヘッド本体と保護カバーとの隙間や段差に記録紙の先端が係止することがなくなり、紙詰まりを確実に防止することができる。
【００４２】
バネ性を有する部材から保持板を構成し、この保持板により前記ガイド板付勢手段を構成することにより、コイルバネ等のバネ部材を別個に設ける必要がなく、構成を簡単にすることができる。
【００４３】
搬送ローラ対は、回転方向を変えることにより記録紙の送り出しと引き戻しとを行い、記録紙の送り出しの際にプラテンローラを退避位置にして記録紙の先端をサーマルヘッド側に案内し、記録紙の引き戻しの際にプラテンローラを圧着位置にして熱記録を行うことにより、記録紙送出しと引き戻しとを交互に行うフルカラープリンタで固定式のサーマルヘッドの場合に、サーマルヘッドに記録紙の先端が係止することがなくなり、紙詰まりを防止することができる。
【図面の簡単な説明】
【図１】本発明を実施したカラー感熱プリンタの要部を示す概略図であり、（Ａ）は記録紙の先端をサーマルヘッド側に送りだしている状態を示し、（Ｂ）は記録紙を引き戻して熱記録を行っている状態を示している。
【図２】カラー感熱プリンタの全体の概略を示す側面図である。
【図３】カラー感熱プリンタの電気的構成を示すブロック図である。
【図４】カラー感熱プリンタにおける処理手順を示すフローチャートである。
【図５】他の可動ガイドを用いたカラー感熱プリンタの要部を示す概略図であり、（Ａ）は記録紙の先端をサーマルヘッド側に送りだしている状態を示し、（Ｂ）は記録紙を引き戻して熱記録を行っている状態を示している。
【図６】スライダを用いたカラー感熱プリンタの要部を示す概略図であり、（Ａ）は記録紙の先端をサーマルヘッド側に送りだしている状態を示し、（Ｂ）は記録紙を引き戻して熱記録を行っている状態を示している。
【図７】サーマルヘッドを固定してプラテンローラをローラシフト機構により上下動させるカラー感熱プリンタの要部を示す概略図である。
【符号の説明】
１０  記録紙ロール
１１  搬送ローラ対
１１ａ  キャプスタンローラ
１１ｂ  ニップローラ
１１ｃ  補助ニップローラ
１１ｄ  ローラシフト機構
１２  記録紙
１３  サーマルヘッド
１４  プラテンローラ
１６  プラテン変位レバー
１９，７２  押し上げ板
２５  カッタ
３０  定着器
３２  イエロー用定着ランプ
３３  マゼンタ用定着ランプ
４３，６７  可動ガイド
４３ａ，６７ａ  ガイド板本体
４３ｂ，６７ｂ  保持板
６９  押し下げ板
７０  スライダ
【図１】
0003642541.tif 000002
【図２】
0003642541.tif 000003
【図３】
0003642541.tif 000004
【図４】
0003642541.tif 000005
【図５】
0003642541.tif 000006
【図６】
0003642541.tif 000007
【図７】
0003642541.tif 000008